(57)【要約】【課題】止水栓の交換が容易な水道メータユニットを提供すること。【解決手段】１次側配管２と２次側配管３との間に設置される水道メータユニット１は、流通方向Ｓに沿ってボール止水栓６、水道メータ７および逆止弁８をこの順に有する。また、水道メータユニット１は、ボール止水栓６よりも上流側に配置される接続管５と、接続管５および逆止弁８が固定されたベース１０を有する。水道メータ７は、逆止弁８に接続され、ボール止水栓６は、ベース１０に固定されておらず、接続管５と流量メータ７との間において当該接続管５および当該流量メータ７に着脱可能に接続される。また、接続管５が１次側配管２に接続され、逆止弁８が２次側配管３に接続される。【選択図】図２
2017190559.tif 000002
【特許請求の範囲】
【請求項１】
１次側配管と２次側配管との間に設置され、前記１次側配管から前記２次側配管に流れる流体の流通方向の上流側から下流側に向かって止水栓、流量メータおよび逆止弁をこの順に備えるメータユニットにおいて、
前記止水栓よりも上流側に配置される接続管と、
前記接続管および前記逆止弁が固定されたベースと、を有し、
前記流量メータは、前記逆止弁に接続され、
前記止水栓は、前記ベースに固定されておらず、前記接続管と前記流量メータとの間において当該接続管および当該流量メータに着脱可能に接続され、
前記接続管が前記１次側配管に接続され、前記逆止弁が前記２次側配管に接続されることを特徴とするメータユニット。
【請求項２】
請求項１において、
前記止水栓は、当該止水栓と前記流量メータとを着脱可能に接続するための止水栓側着脱機構を備えることを特徴とするメータユニット。
【請求項３】
請求項１または２において、
前記接続管は、当該接続管と前記止水栓とを着脱可能に接続するための接続管側着脱機構を備えることを特徴とするメータユニット。
【請求項４】
請求項１ないし３のうちのいずれか一項において、
前記接続管は、当該接続管の管路を開閉する開閉弁を備えることを特徴とするメータユニット。
【請求項５】
請求項１ないし４のうちのいずれか一項において、
前記止水栓は、ボール止水栓であることを特徴とするメータユニット。
【請求項６】
一本の１次側配管と複数本の２次側配管との間に配置される複合メータユニットにおいて、
請求項１に記載のメータユニットを前記２次側配管の数に対応する数有し、
前記複数のメータユニットは、それぞれの前記接続管の上流端側部分に互いに連通する連通部分を備え、前記連通部分が前記１次側配管に接続され、
前記複数のメータユニットの前記逆止弁は、それぞれ前記複数本の２次側配管のそれぞれに接続されることを特徴とする複合メータユニット。
【請求項７】
請求項６において、
前記連通部分は、当該連通部分の管路を開閉する開閉弁を備えることを特徴とする複合メータユニット。
【請求項８】
請求項６において、
各メータユニットは、前記接続管における前記連通部分よりも下流側に当該接続管の管路を開閉する開閉弁を備えることを特徴とする複合メータユニット。
【請求項９】
請求項６、７または８において、
各メータユニットの前記ベースは、一体とされて一つのベース部材を構成していることを特徴とする複合メータユニット。
【発明の詳細な説明】
【技術分野】
【０００１】
本発明は、止水栓、流量メータおよび逆止弁を備え、水道管などの途中に配置されるメータユニットに関する。
【背景技術】
【０００２】
予め施工された１次側配管と２次側配管の間に水道メータを設置する際には、水道メータと、その両側に設置されるバルブ装置を一体に備えるメータユニットが用いられる。特許文献１に記載のメータユニットは、流水方向の上流側から下流側に向かって止水栓、水道メータおよび逆止弁を備える。メータユニットにおいて、止水栓と逆止弁はベースに固定されている。水道メータは、ベースに固定されておらず、止水栓および逆止弁に対して着脱可能に接続されている。止水栓には１次側配管が接続され、逆止弁には２次側配管が接続される。止水栓はボール止水栓である。
【先行技術文献】
【特許文献】
【０００３】
【特許文献１】特開平１１−９３２２６号公報
【発明の概要】
【発明が解決しようとする課題】
【０００４】
ボール止水栓では、異物などが侵入した状態で開閉動作を行うと、ボール弁体が損傷して、止水不能となることがある。ここで、損傷などによって止水不能となった止水栓は交換する必要があるが、既に１次側配管と２次側配管の間に設置されたメータユニットから止水栓を取り外すことは容易ではない。
【０００５】
本発明の課題は、このような点に鑑みて、止水栓の交換が容易なメータユニットおよび複合メータユニットを提案することにある。
【課題を解決するための手段】
【０００６】
上記課題を解決するために、本発明のメータユニットは、１次側配管と２次側配管との間に設置され、前記１次側配管から前記２次側配管に流れる流体の流通方向の上流側から下流側に向かって止水栓、流量メータおよび逆止弁をこの順に備えるメータユニットにおいて、前記止水栓よりも上流側に配置される接続管と、前記接続管および前記逆止弁が固定されたベースと、を有し、前記流量メータは、前記逆止弁に接続され、前記止水栓は、前記ベースに固定されておらず、前記接続管と前記流量メータとの間において当該接続管および当該流量メータに着脱可能に接続され、前記接続管が前記１次側配管に接続され、前記逆止弁が前記２次側配管に接続されることを特徴とする。
【０００７】
本発明によれば、止水栓は接続管と流量メータとの間に着脱可能に接続される。また、メータユニットを配管の途中に設置する際には、１次側配管は接続管に接続され、２次側配管は流水メータよりも下流側に位置する逆止弁に接続される。さらに、止水栓はベースに固定されていない。従って、メータユニットを配管の途中に設置した後であっても、メータユニットから止水栓を取り外すことが容易である。よって、止水栓が故障した場合などに、止水栓を交換することが容易である。
【０００８】
本発明において、前記止水栓は、当該止水栓と前記流量メータとを着脱可能に接続するための止水栓側着脱機構を備えることが望ましい。このようにすれば、流量メータの構造に変更を加えることなく、止水栓を着脱可能とすることができる。
【０００９】
本発明において、前記接続管は、当該接続管と前記止水栓とを着脱可能に接続するための接続管側着脱機構を備えるものとすることができる。このようにすれば、止水栓の側において接続管と連結される部分の構造を簡易なものとすることができる。
【００１０】
本発明において、前記接続管は、当該接続管の管路を開閉する開閉弁を備えるものとすることができる。このようにすれば、開閉弁によって接続管の管路を閉鎖して止水した後に、止水栓を交換できる。
【００１１】
本発明において、前記止水栓は、ボール止水栓とすることができる。ボール止水栓は、異物が侵入した状態で開閉動作が行われると、故障することがある。従って、メータユニットにおいて、ボール止水栓をベースに固定せず、接続管および流量メータに対して着脱可能としておけば、ボール止水栓が故障したときに、その交換が容易である。
【００１２】
次に、本発明は、一本の１次側配管と複数本の２次側配管との間に配置される複合メータユニットにおいて、上記のメータユニットを前記２次側配管の数に対応する数有し、前記複数のメータユニットは、それぞれの前記接続管の上流端側部分に互いに連通する連通部分を備え、前記連通部分が前記１次側配管に接続され、前記複数のメータユニットの前記逆止弁は、それぞれ前記複数本の２次側配管のそれぞれに接続されることを特徴とする。
【００１３】
本発明によれば、複合メータユニットのいずれかのメータユニットの止水栓が破損した場合に、この止水栓の交換が容易である。
【００１４】
本発明において、前記連通部分は、当該連通部分の管路を開閉する開閉弁を備えることが望ましい。このようにすれば、開閉弁によって連通部分の管路を閉鎖して止水することにより、１次側配管から流れ込む水が複数のメータユニットのそれぞれを流通することを阻止できる。従って、複合メータユニットのいずれかのメータユニットの止水栓が破損した場合に、この止水栓の交換が容易である。
【００１５】
本発明において、各メータユニットは、前記接続管における前記連通部分よりも下流側に当該接続管の管路を開閉する開閉弁を備えるものとすることができる。このようにすれば、開閉弁によって連通部分の管路を閉鎖して止水することにより、１次側配管から流れ込む水が管路を閉鎖したメータユニットを流通することを阻止できる。従って、当該メータユニットの止水栓が破損した場合に、この止水栓の交換が容易である。
【００１６】
本発明において、各メータユニットの前記ベースは、一体とされて一つのベース部材を構成していることが望ましい。このようにすれば、複数のメータユニットを一体化することができる。また、複合メータユニットの部品点数を削減できる。
【発明の効果】
【００１７】
本発明によれば、１次側配管と２次側配管との間に設置されたメータユニットの止水栓を交換することが容易となる。
【図面の簡単な説明】
【００１８】
【図１】本発明を適用した水道メータユニットの断面図である。
【図２】水道メータユニットにおける接続管と止水栓の周辺部分の説明図である。
【図３】複合メータユニットの説明図である。
【発明を実施するための形態】
【００１９】
以下に、図面を参照して、本発明の実施の形態である水道メータユニットを説明する。
【００２０】
（水道メータユニット）
図１は水道管の途中に設置された水道メータユニットの断面図である。図１では水道メータを点線で示す。本例の水道メータユニット１は、配水管から家屋などの建造物に水道水を引き込む水道管の途中に設置される。図１に示すように、水道メータユニット１は、水道管を構成する１次側配管２と２次側配管３との間に設置される。水道メータユニットは１次側配管２から２次側配管３に流れる流体の流通方向Ｓの上流側から下流側に向かって、接続管５、ボール止水栓（止水栓）６、水道メータ７、および、逆止弁８をこの順に備える。接続管５はその管路を開閉する開閉弁９を備える。本例では、開閉弁９はボール止水栓である。
【００２１】
また、水道メータユニット１は、接続管５、ボール止水栓６、水道メータ７および逆止弁８の下側に位置するベース１０を備える。水道メータユニット１を上方から見た場合に、ベース１０は長方形形状をしており、その長手方向を、接続管５、ボール止水栓６、水道メータ７および逆止弁８の配列方向に向けている。ベース１０には接続管５および逆止弁８が固定されている。すなわち、ベース１０の１次側配管２の側の端部分には接続管５を保持する接続管保持部１１が設けられており、接続管５はネジなどにより接続管保持部１１に固定されている。また、ベース１０の２次側配管３の側の端部分には逆止弁８を保持する逆止弁保持部１２が設けられており、逆止弁８はネジなどにより逆止弁保持部１２に固定されている。
【００２２】
ここで、ボール止水栓６および水道メータ７は、接続管５と逆止弁８の間において、これら接続管５と逆止弁８に着脱可能に接続されている。すなわち、水道メータ７は、ベース１０に固定されておらず、逆止弁８に着脱可能に接続されている。また、ボール止水栓６は、ベース１０に固定されておらず、接続管５および水道メータ７に着脱可能に接続されている。
【００２３】
なお、以下では、互いに直交する３方向を前後方向Ｘ、幅方向Ｙおよび上下方向Ｚとする。そして、前後方向Ｘを、接続管５、ボール止水栓６、水道メータ７および逆止弁８の配列方向とし、接続管５が位置する側を前後方向Ｘの前方Ｘ１、逆止弁８が位置する側を前後方向Ｘの後方Ｘ２とする。前後方向Ｘは接続管５の管軸Ｌに沿った方向である。
【００２４】
（ボール止水栓）
図２は水道メータユニット１における接続管５とボール止水栓６の周辺部分の説明図である。図２（ａ）は接続管５とボール止水栓６の周辺部分を上方から見た場合の平面図であり、図２（ｂ）は接続管５とボール止水栓６の周辺部分の断面図である。図２（ａ）に示すように、ボール止水栓６は、止水栓本体部２１と、止水栓本体部２１から前方Ｘ１に突出する第１管部２２と、止水栓本体部２１から後方Ｘ２に突出する第２管部２３を備える。止水栓本体部２１は、図２（ｂ）に示すように、ボール弁体２５、ボール弁体２５を収容する弁室２６、およびボール弁体２５を回転させるためのハンドル２７を備える。第１管部２２および第２管部２３は同軸であり、それぞれ弁室２６と連通する。第１管部２２の外周面には雄ネジ２８が設けられている。第２管部２３は、ボール止水栓６と水道メータ７とを着脱可能に接続するための止水栓側着脱機構３１を備える。
【００２５】
止水栓側着脱機構３１は、スライドホルダ３２、第１ロックナット３３および第２ロックナット３４を備える。
【００２６】
スライドホルダ３２は、内側筒部材３５と外側筒部材３６を備える。内側筒部材３５は、前方Ｘ１から後方Ｘ２に向かって、小径筒部分３７と大径筒部分３８を備える。大径筒
部分３８は、小径筒部分３７と同軸で当該小径筒部分３７よりも内径寸法および外径寸法が大きい。小径筒部分３７の前方Ｘ１の端側部分は後方Ｘ２から第２管部２３に挿入されている。小径筒部分３７の外周面における前方Ｘ１の端部分には環状溝３９が設けられている。環状溝３９にはＯリング４０が取り付けられている。Ｏリング４０は小径筒部分３７が第２管部２３に挿入されたときに、第２管部２３と小径筒部分３７との間を液密に封止する。スライドホルダ３２は、小径筒部分３７が第２管部２３の内周側に挿入された状態で前後方向Ｘに移動可能である。
【００２７】
内側筒部材３５の内周面における小径筒部分３７と大径筒部分３８の間には、後方Ｘ２を向く円環状面４１が設けられている。円環状面４１には管軸Ｌ回りの環状溝４２が当該円環状面４１と同軸に形成されている。環状溝４２には円環状のパッキン４３が取り付けられている。
【００２８】
ここで、内側筒部材３５の内周面において円環状面４１と大径筒部分３８の環状内壁面３８ａとは、水道メータ７の前方Ｘ１（上流側）の接続管部分７ａの端部分を受ける水道メータ受部４４となっている。すなわち、ボール止水栓６と水道メータ７とを接続する際に、水道メータ７は、その上流側の接続管部分７ａの前方Ｘ１の端部が内側筒部材３５の大径筒部分３８に挿入されて嵌合する。また、水道メータ７の接続管部分７ａの前方Ｘ１の端面が円環状面４１に当接した状態とされる。ボール止水栓６の水道メータ受部４４に水道メータ７の上流側の接続管部分７ａが挿入されると、パッキン４３は、円環状面４１と接続管部分７ａの端面との間で弾性変形して、これらの間を液密に封止する。
【００２９】
外側筒部材３６は大径筒部分３８よりも内径寸法が大きい。外側筒部材３６はその後方Ｘ２の端を内側筒部材３５の後方Ｘ２の端と一致させた状態で大径筒部分３８の外周側に一体に固定されている。ここで、外側筒部材３６の前後方向Ｘの寸法は大径筒部分３８よりも長い。従って、外側筒部材３６は、大径筒部分３８から前方Ｘ１の側に突出する円筒状の突出部分４５を備える。突出部分４５と内側筒部材３５の小径筒部分３７との間には径方向に環状の隙間４７（環状溝）が形成されている。
【００３０】
ここで、内側筒部材３５（小径筒部分３７）の前方Ｘ１の端部分が第２管部２３に挿入された状態では、第２管部２３の後方Ｘ２の端部分が隙間４７（溝）に挿入された状態となる。外側筒部材３６の外周面の前方Ｘ１の端部分には雄ネジ４９が形成されている。
【００３１】
第１ロックナット３３は、第２管部２３の外周面に取り付けられた止めリング５１によって後方Ｘ２への移動を規制された状態で、第２管部２３の外周側に取り付けられている。第１ロックナット３３は管軸Ｌ回りに回転可能である。また、第１ロックナット３３はその内周面の後方Ｘ２の端側部分にスライドホルダ３２の雄ネジ４９（外側筒部材３６の外周面の雄ネジ４９）と螺合する雌ネジ５２を備える。さらに、第１ロックナット３３は、その外周面の後方Ｘ２の端部分に雄ネジ５３を備える。
【００３２】
第２ロックナット３４は、第１ロックナット３３の雄ネジ５３に螺合可能な雌ネジ５５を備える。第２ロックナット３４はスライドホルダ３２の外周側に位置する。
【００３３】
ここで、第１ロックナット３３の雌ネジ５２とスライドホルダ３２の雄ネジ４９（外側筒部材３６の雄ネジ４９）とを螺合させた状態で第１ロックナット３３を回転させると、スライドホルダ３２は、第２管部２３に対して前後方向Ｘに進退する。なお、第２ロックナット３４の雌ネジ５５を第１ロックナット３３の外周面の雄ネジ５３に螺合させて締めることにより、第１ロックナット３３によるスライドホルダ３２の固定が確実なものとなる。
【００３４】
（接続管）
接続管５の前方Ｘ１の端部分は、１次側配管２が接続される配管接続管部分６１である。また、接続管５の後方Ｘ２の端部分はボール止水栓６が接続される止水栓接続管部分６２である。配管接続管部分６１と止水栓接続管部分６２の間は、開閉弁９を構成する開閉弁部分６３である。開閉弁部分６３は、開閉弁９としてボール止水栓を備える。すなわち、開閉弁部分６３は、ボール弁体６５、ボール弁体６５を収容する弁室６６、およびボール弁体６５を回転させるためのハンドル６７を備える。配管接続管部分６１および止水栓接続管部分６２はそれぞれ開閉弁部分６３の弁室６６と連通する。接続管５と開閉弁９（ボール止水栓）とは一体である。ここで、配管接続管部分６１の後側部分および開閉弁部分６３の前側部分はベース１０の接続管保持部１１に固定されている。
【００３５】
配管接続管部分６１の外周面には雄ネジ６８が設けられている。止水栓接続管部分６２は、ボール止水栓６を着脱可能に接続するための接続管側着脱機構６９を備える。
【００３６】
接続管側着脱機構６９は、止めリング７１と袋ナット７２を備える。袋ナット７２は止水栓接続管部分６２の外周面に取り付けられた止めリング７１により、後方Ｘ２への移動を規制されている。袋ナット７２はその内周面にボール止水栓６の雄ネジ２８と螺合する雌ネジ７３を備える。また、袋ナット７２は、雌ネジ７３が形成された後側部分が止水栓接続管部分６２から後方Ｘ２に突出する。止水栓接続管部分６２の後端面には、管軸Ｌ回りに環状溝７４が形成されている。環状溝７４にはＯリング７５が取り付けられている。
【００３７】
ここで、図１に示すように、逆止弁８には、水道メータ７の下流側の接続管部分７ｂを受ける水道メータ受部７８が設けられている。すなわち、逆止弁８は、前方Ｘ１に延びる管部分７９の内周面に、前方Ｘ１を向く円環状面８０と、円環状面８０の外周縁から連続して前方Ｘ１に延びる環状内壁面８１を備える。円環状面８０と環状内壁面８１により形成された環状の段部が水道メータ受部７８である。円環状面８０には管軸Ｌ回りの環状溝８３が当該円環状面８０と同軸に形成されている。環状溝８３には円環状のパッキン８４が取り付けられている。
【００３８】
逆止弁８と水道メータ７とを接続する際に、水道メータ７は、その下流側の接続管部分７ｂの後方Ｘ２の端部が水道メータ受部７８に嵌め込まれる。そして、その接続管部分７ｂの後方Ｘ２の端面が円環状面８０に当接した状態とされる。水道メータ７の接続管部分７ｂの端面が円環状面８０に当接すると、パッキン８４は、円環状面８０と接続管部分７ａの端面との間で弾性変形して、これらの間を液密に封止する。
【００３９】
水道メータユニット１を構成する際には、まず、ボール止水栓６の第１ロックナット３３を回転させて、スライドホルダ３２を前方Ｘ１の側に移動させた状態としておく。次に、ベース１０に固定された接続管５に、ボール止水栓６を接続する。すなわち、図２に示すように、接続管５の止水栓接続管部分６２とボール止水栓６の第１管部２２とを前後方向Ｘから同軸に当接させて、袋ナット７２の雌ネジ７３と第１管部２２の雄ネジ２８を螺合させる。
【００４０】
その後、ベース１０に固定された逆止弁８とボール止水栓６との間に水道メータ７を配置する。すなわち、図１に示すように、水道メータ７の後方Ｘ２の接続管部分７ｂを逆止弁８の水道メータ受部７８に嵌め込む。また、ボール止水栓６のスライドホルダ３２の水道メータ受部４４と、水道メータ７の前方Ｘ１の接続管部分７ａとを同軸上に位置させる。しかる後に、第１ロックナット３３を回転させて、スライドホルダ３２を後方Ｘ２に移動させる。これにより、スライドホルダ３２の水道メータ受部４４と逆止弁８の水道メータ受部７８との間の距離を接近させ、スライドホルダ３２の水道メータ受部４４と逆止弁８の水道メータ受部７８との間に、水道メータ７を挟持する。
【００４１】
（水道メータユニット設置後のボール止水栓の交換）
水道メータユニット１は、図１に示すように、１次側配管２が接続管５に接続され、逆止弁８が２次側配管３に接続された状態で、水道管の途中に設置される。ここで、ボール止水栓６では、異物などが侵入した状態で開閉動作を行うと、ボール弁体２５が損傷して、止水不能となることがある。止水不能となったボール止水栓６は交換の必要がある。
【００４２】
このような場合に、本例では、まず、接続管５の開閉弁９（ボール止水栓）を操作して当該接続管５の管路を閉じる。これにより、１次側配管２の側から水道メータユニット１に水が流入することを阻止する。次に、ボール止水栓６の第１ロックナット３３を回転させて、スライドホルダ３２を前方Ｘ１に移動させる。これにより、ボール止水栓６の水道メータ受部４４が水道メータ７から離間した状態を形成する。
【００４３】
その後、接続管５の袋ナット７２を回転させて、接続管５とボール止水栓６との接続を解除する。これにより、ボール止水栓６は水道メータ７と接続管５との間を前後方向Ｘに移動可能となる。従って、ボール止水栓６を水道メータ７および接続管５と干渉しない位置に移動させた後に、ボール止水栓６を水道メータユニット１の幅方向Ｙまたは上下方向Ｚに引き出して、ボール止水栓６を水道メータユニット１から取り外す。
【００４４】
しかる後に、新たなボール止水栓６を水道メータユニット１に取り付ける場合には、水道メータ７と接続管５との間にボール止水栓６を挿入する。その後、ベース１０に固定された接続管５に、ボール止水栓６を取り付ける。すなわち、接続管５の止水栓接続管部分６２とボール止水栓６の第１管部２２とを前後方向Ｘから同軸に当接させて、袋ナット７２の雌ネジ７３と第１管部２２の雄ネジ２８を螺合させる。その後、ボール止水栓６のスライドホルダ３２の水道メータ受部４４と、水道メータ７の前方Ｘ１の接続管部分７ａとを同軸上に位置させる。そして、第１ロックナット３３を回転させて、スライドホルダ３２を後方Ｘ２に移動させる。これにより、スライドホルダ３２の水道メータ受部４４と逆止弁８の水道メータ受部７８との間の距離を接近させ、スライドホルダ３２の水道メータ受部４４と逆止弁８の水道メータ受部７８との間に水道メータ７を挟持する。
【００４５】
（作用効果）
本例によれば、ボール止水栓６は接続管５と水道メータ７との間に着脱可能に接続される。また、水道メータユニット１を水道管の途中に設置する際には、１次側配管２は接続管５に接続され、２次側配管３は水道メータ７よりも下流側に位置する逆止弁８に接続される。さらに、ボール止水栓６はベース１０に固定されていない。従って、水道メータユニット１を水道管の途中に設置した後であっても、水道メータユニット１からボール止水栓６を取り外すことが容易である。よって、ボール止水栓６が故障した場合などに、ボール止水栓６を交換することが容易である。
【００４６】
また、本例では、接続管５が当該接続管５の管路を開閉する開閉弁９を備える。従って、開閉弁９によって接続管５の管路を閉鎖して止水した後に、ボール止水栓６を交換できる。ここで、接続管５に開閉弁９を備えていなければ、１次側配管２に設けられている止水栓まで移動して、当該止水栓を操作して水道メータユニット１への水の流入を阻止する必要がある。これに対して、本例では、水道メータユニット１が設置されている場所から移動せずに接続管５よりも下流側の止水を行って、ボール止水栓６を交換できる。
【００４７】
ここで、上記の例では、接続管５は開閉弁９としてボール止水栓を備えるが、接続管５の管路を開閉できるものであれば、どのような開閉弁９を備えていてもよい。例えば、甲形止水栓、ニードル弁を備える止水栓、仕切弁を備える止水栓などを備えてもよい。なお、接続管５の開閉弁９は省略することもできる。
【００４８】
（その他の実施の形態）
図３は上記の水道メータユニット１を複数備える複合水道メータユニット９０Ａおよび複合水道メータユニット９０Ｂの説明図である。複合水道メータユニット９０Ａ、９０Ｂは、一本の１次側配管２と複数本の２次側配管３との間に設置される。図３（ａ）に示す複合水道メータユニット９０Ａでは、１次側配管２が複合水道メータユニットの幅方向Ｙから接続されている。図３（ｂ）に示す複合水道メータユニット９０Ｂでは、１次側配管が２複合水道メータユニットの前方Ｘ１から接続されている。なお、複合水道メータユニット９０Ａ、９０Ｂを構成する各水道メータユニット１は上記の水道メータユニット１と対応する構成を備えるので、対応する部分には同一の符号を付してその説明を省略する。
【００４９】
本例の複合水道メータユニット９０Ａ、９０Ｂは４つの水道メータユニット１を備える。各水道メータユニット１は、それぞれのベース１０の長手方向を同一の方向に向けて並列に配置されている。以下の説明では、各水道メータユニット１のベース１０の長手方向を前後方向Ｘとし、ベース１０の長手方向と直交する方向（ベース１０の配列方向）を幅方向Ｙ、前後方向Ｘおよび幅方向Ｙと直交する方向を上下方向Ｚとする。
【００５０】
複合水道メータユニット９０Ａ、９０Ｂを構成する４つの水道メータユニット１は、それぞれの接続管５の上流端側部分に互いに連通する連通部分９１を備える。
【００５１】
より詳細には、複合水道メータユニット９０Ａ、９０Ｂにおいて、各水道メータユニット１の接続管５は、ベース１０に固定されてベース１０から前方Ｘ１に延びる小径接続管部分９２と、小径接続管部分９２の前端部分から幅方向Ｙに延びる大径接続管部分９３を備える。そして、各水道メータユニット１の接続管５の大径接続管部分９３は、１次側配管２が接続される上流端部分に互いに連通する連通部分９１を備える。より具体的には、各水道メータユニット１の接続管５の大径接続管部分９３の上流端は一本の共通管９５（連通部分９１）に纏められて１次側配管２に接続されている。
【００５２】
ここで、図３（ａ）に示す複合水道メータユニット９０Ａでは、共通管９５（連通部分９１）は、前後方向Ｘから見た場合に４つの水道メータユニット１から幅方向Ｙに外れた位置に設けられている。そして、共通管９５（連通部分９１）は幅方向Ｙに延びている。図３（ｂ）に示す複合水道メータユニット９０Ｂでは、共通管９５（連通部分９１）が４つの４つの水道メータユニット１の配列方向（幅方向Ｙ）の中央に設けられている。共通管９５（連通部分９１）は前後方向Ｘに延びている。
【００５３】
また、複合水道メータユニット９０Ａ、９０Ｂは、それぞれ共通管９５（連通部分９１）に当該共通管９５の管路を開閉する開閉弁９を備える。複合水道メータユニット９０Ａ、９０Ｂにおける開閉弁９はボール止水栓である。
【００５４】
本例の複合水道メータユニット９０Ａ、９０Ｂでは、各水道メータユニット１のボール止水栓６がベース１０に固定されていない。また、各水道メータユニット１において、ボール止水栓６は、接続管５および水道メータ７に着脱可能に接続されている。従って、いずれかの水道メータユニット１のボール止水栓６が破損した場合に、ボール止水栓６を交換することが容易である。
【００５５】
また、本例の複合水道メータユニット９０Ａ、９０Ｂでは、１次側配管２に接続される各接続管５の上流端部分が一本の共通管９５（連通部分９１）に纏められており、この共通管９５に開閉弁９を備える。従って、いずれかの水道メータユニット１のボール止水栓６が破損した場合に、開閉弁９によって共通管９５の管路を閉鎖することにより、水が各水道メータユニット１を流通することを阻止できる。従って、複合水道メータユニット９
０Ａ、９０Ｂが設置されている場所から移動せずに接続管５よりも下流側の止水を行ってボール止水栓６を交換できる。
【００５６】
なお、複合水道メータユニット９０Ａ、９０Ｂでは、各水道メータユニット１のベース１０を一体とすることができる。換言すれば、複合水道メータユニット９０Ａ、９０Ｂは、各水道メータユニット１のベース１０を一体とした一つのベース部材を備えることができる。この場合、ベース部材は、各水道メータユニット１の接続管５を固定する４つの接続管保持部１１を備えるとともに、各水道メータユニット１の逆止弁８を固定する４つの逆止弁保持部１２を備えるものとすることができる。
【００５７】
また、複合水道メータユニット９０Ａ、９０Ｂでは、各水道メータユニット１の接続管５における共通管９５（連通部分９１）よりも下流側に、その管路を開閉する開閉弁９を備えてもよい。例えば、各水道メータユニット１の接続管５における小径接続管部分９２に開閉弁９を備えてもよい。このようにしても、複合水道メータユニット９０Ａ、９０Ｂが設置されている場所から移動せずに接続管５よりも下流側の止水を行ってボール止水栓６を交換できる。
【００５８】
ここで、ボール止水栓６と水道メータ７とを着脱可能に接続する止水栓側着脱機構、および、接続管５とボール止水栓６とを着脱可能に接続する接続管側着脱機構は、上記の構成に限られるものではない。例えば、逆止弁８の管部分７９に、着脱機構として、上記の止水栓側着脱機構３１と同様の構成（スライドホルダ３２と当該スライドホルダ３２を前後方向Ｘに進退させる第１ロックナット３３とを備える構成）の着脱機構を備える場合には、ボール止水栓６は、止水栓側着脱機構として、第２管部２３に水道メータ受部４４を備える構成とすることができる。
【００５９】
また、接続管５の止水栓接続管部分６２に、接続管側着脱機構として、上記の止水栓側着脱機構３１と同様の構成（スライドホルダ３２と当該スライドホルダ３２を前後方向Ｘに進退させる第１ロックナット３３とを備える構成）を備えることもできる。この場合には、スライドホルダ３２の後端面に水道メータ受部４４と同様の構成の受部を設け、この受部によってボール止水栓６の第１管部２２の前方Ｘ１の端部を受けるものとすることができる。また、この場合にも、ボール止水栓６は、止水栓側着脱機構として、第２管部２３に水道メータ受部４４を備える構成を採用できる。
【符号の説明】
【００６０】
１・・・水道メータユニット（メータユニット）
２・・・１次側配管
３・・・２次側配管
５・・・接続管
６・・・ボール止水栓（止水栓）
７・・・水道メータ（流量メータ）
８・・・逆止弁
９・・・開閉弁
１０・・・ベース
３１・・・止水栓側着脱機構
６９・・・接続管側着脱機構
９０Ａ・９０Ｂ・・・複合水道メータユニット（複合メータユニット）
９１・・・連通部分
Ｓ・・・流通方向
【図１】
2017190559.tif 000003
【図２】
2017190559.tif 000004
【図３】
2017190559.tif 000005